(57)【特許請求の範囲】
【請求項１】
所定の回路パターンが形成された回路基板と、
前記回路基板上に配設される電子部品と、
前記回路基板上に配設されて前記電子部品を前記回路基板に封印し、前記電子部品が前記回路基板から取り外された場合に痕跡を残すと共に、所定の回数だけ再封印可能に構成される電子部品封印手段と、を備え、
前記電子部品封印手段は、
複数の係止穴を備え、前記回路基板に固定される封印基台と、
１つの挿通孔を備え、前記電子部品の少なくとも一部を覆う封印蓋と、
係止爪を備え、前記挿通孔に挿通されると共に前記係止爪が前記係止穴内に挿入されて前記係止穴に係止される封印ピンと、からなり、
前記１つの挿通孔は、前記封印蓋の向きを変えて配設することによって、前記複数の係止穴のいずれかに対応し、
前記１つの挿通孔と対応しない前記係止穴は、前記係止爪を挿入不可能に前記封印蓋によって遮蔽され、
前記電子部品封印手段を構成するいずれかの部品を破壊した場合に、前記電子部品を前記回路基板から取り外し可能となることを特徴とする、遊技台。
【発明の詳細な説明】
【技術分野】
【０００１】
本発明は、スロットマシンやパチンコ機等に代表される遊技台、および部材を封印する封印構造に関する。
【背景技術】
【０００２】
従来、遊技台は、メダルを投入してスタートレバーを操作することでリールが回転し、停止ボタンを操作することでリールを停止させ、内部抽選によって役を内部決定し、表示窓上に内部決定に応じて予め定められた図柄の組合せが表示されると役が成立し、メダルの払出を伴う役が成立した場合には、規定数のメダルが払出されるようになっている。内部抽選は、予め定められた条件において取得されたカウンタ値と抽選データを比較して内部当選の有無を判定し、内部抽選により当選した役の組合せ図柄が所定の表示窓上に停止し、メダルの払出を伴う役が成立した場合には、予め定められた所定の遊技媒体を払出すように構成されている。
【０００３】
このような遊技台においては、抽選データなど、メダルの払い出しに関する重大なデータを遊技台内に設置された基板上のＩＣに格納しているが、このＩＣを不正に交換する者がいるという問題があった。このような問題に対して、基板のケースとは別に、ＩＣを嵌め殺し構造のＩＣカバーで封印し、このＩＣカバーの少なくとも一部を破壊しなければＩＣを基板から取りはずすことができないように構成された遊技台が提供されている（例えば、特許文献１参照）。
【特許文献１】特開２００５−１０３０１０号公報
【発明の開示】
【発明が解決しようとする課題】
【０００４】
しかし、特許文献１に記載の遊技台においては、ＩＣカバーの一部を破壊してＩＣを取りはずした場合に再利用することができないため、遊技店などが不正なＩＣに交換されていないかどうかを確認するなど、正当な目的でＩＣのチェックを行いたい場合においても新たな部品を用意する必要が生じてしまい、容易にＩＣのチェックを行うことができなかった。
【０００５】
本発明は、このような問題を解決するためになされたものであって、所定の回数だけ再封印可能な封印構造を備えた遊技台、および所定の回数だけ再封印可能な封印構造を提供しようとするものである。
【課題を解決するための手段】
【０００６】
（１）本発明は、所定の回路パターンが形成された回路基板と、前記回路基板上に配設される電子部品と、前記回路基板上に配設されて前記電子部品を前記回路基板に封印し、前記電子部品が前記回路基板から取り外された場合に痕跡を残すと共に、所定の回数だけ再封印可能に構成される電子部品封印手段と、を備えることを特徴とする、遊技台である。
【０００７】
（２）本発明はまた、前記回路基板を収容し、自身から前記回路基板が取り外された場合に痕跡を残す回路基板封印手段を備える基板収納ケースをさらに備え、前記電子部品封印手段は、前記回路基板封印手段が再封印可能な回数以下の回数だけ再封印可能であることを特徴とする、上記（１）に記載の遊技台である。
【０００８】
（３）本発明はまた、前記電子部品封印手段は、係止穴を備え、前記回路基板に固定される封印基台と、挿通孔を備え、前記電子部品の少なくとも一部を覆う封印蓋と、係止爪を備え、前記挿通孔に挿通されると共に前記係止爪が前記係止穴内に挿入されて前記係止穴に係止される封印ピンと、からなり、前記電子部品封印手段を構成するいずれかの部品を破壊した場合に、前記電子部品を前記回路基板から取り外し可能となることを特徴とする、上記（１）または（２）に記載の遊技台である。
【０００９】
（４）本発明はまた、前記封印ピンは、前記電子部品を前記回路基板から取り外す場合に前記係止爪を含む部分を分離するように破断される破断部を備え、前記封印基台の前記係止穴は、前記電子部品を前記回路基板から取り外すために前記封印ピンが破断された後に、前記分離された係止爪を含む部分を保持する保持部を備えることを特徴とする、上記（３）に記載の遊技台である。
【００１０】
（５）本発明はまた、前記封印基台は、前記保持部内に保持している前記係止爪を含む部分を外部から視認可能に構成されていることを特徴とする、上記（４）に記載の遊技台である。
【００１１】
（６）本発明はまた、前記封印基台の前記係止穴の前記保持部は、前記分離された係止爪を含む部分を複数保持することを特徴とする、上記（４）または（５）に記載の遊技台である。
【００１２】
（７）本発明はまた、前記電子部品封印手段は、前記係止穴を複数備えることを特徴とする、上記（３）乃至（６）のいずれかに記載の遊技台である。
【００１３】
（８）本発明はまた、前記電子部品封印手段は、前記挿通孔を複数備えることを特徴とする、上記（７）に記載の遊技台である。
【００１４】
（９）本発明はまた、前記封印蓋は、１つの前記挿通孔を備え、前記１つの挿通孔は、前記封印蓋の向きを変えて配設することによって、前記複数の係止穴のいずれかに対応し、前記１つの挿通孔と対応しない前記係止穴は、前記係止爪を挿入不可能に前記封印蓋によって遮蔽されることを特徴とする、上記（７）に記載の遊技台である。
【００１５】
（１０）本発明はまた、前記封印蓋は、所定の向きにのみ配設可能であることを特徴とする、上記（３）乃至（８）のいずれかに記載の遊技台である。
【００１６】
（１１）本発明はまた、前記電子部品封印手段は、少なくとも一部が透明な素材により構成されることを特徴とする、上記（３）乃至（１０）のいずれかに記載の遊技台である。
【００１７】
（１２）本発明はまた、前記封印ピンは、前記電子部品を前記回路基板に取り付ける方向とは異なる方向から前記挿通孔に挿通され、前記係止爪が前記係止穴内に挿入されて前記係止穴に係止されることを特徴とする、上記（３）乃至（１１）のいずれかに記載の遊技台である。
【００１８】
（１３）本発明はまた、前記封印蓋は、第１の係合部を備え、前記封印基台は、前記第１の係合部と係合する第２の係合部を備えることを特徴とする、上記（３）乃至（１２）のいずれかに記載の遊技台である。
【００１９】
（１４）本発明はまた、前記電子部品は、前記回路基板上に固定されたソケットに自身のリードを挿入されることで前記回路基板上に配設され、前記電子部品の上面と前記封印蓋の下面との間隔は、遊びを加えても、前記リードの前記ソケットに挿入される部分の長さよりも短いことを特徴とする、上記（３）乃至（１３）のいずれかに記載の遊技台である。
【００２０】
（１５）本発明はまた、前記電子部品封印手段は、少なくとも一部が前記回路基板よりも熱伝導率の大きい素材により構成されることを特徴とする、上記（３）乃至（１４）のいずれかに記載の遊技台である。
【００２１】
（１６）本発明はまた、前記封印基台、前記封印蓋、前記封印ピンの少なくともいずれか１つは、ＩＣタグを備えることを特徴とする、上記（３）乃至（１５）のいずれかに記載の遊技台である。
【００２２】
（１７）本発明はまた、前記封印蓋は、自身の長手方向が、封印される前記電子部品の長手方向と直交するように配設されることを特徴とする、上記（３）乃至（１６）のいずれかに記載の遊技台である。
【００２３】
（１８）本発明はまた、前記封印蓋は、封印に関する情報を記録する封印情報記録部を備え、前記電子部品の表面に記された情報を外部から視認可能に構成されることを特徴とする、上記（３）乃至（１７）のいずれかに記載の遊技台である。
【００２４】
（１９）本発明はまた、前記電子部品封印手段により封印される電子部品は、ＩＣパッケージであることを特徴とする、上記（３）乃至（１８）のいずれかに記載の遊技台である。
【００２５】
（２０）本発明はまた、前記ＩＣパッケージは、遊技に関する情報を記憶していることを特徴とする、上記（１９）に記載の遊技台である。
【００２６】
（２１）本発明はまた、所定の回路パターンが形成された回路基板と、前記回路基板上に配設される電子部品と、少なくとも一部が透明な素材で構成され、前記回路基板上に配設されて前記電子部品を前記回路基板に封印し、前記電子部品が前記回路基板から取り外された場合に痕跡を残すと共に、所定の回数だけ再封印可能に構成される電子部品封印手段と、少なくとも一部が透明な素材で構成され、前記回路基板を収容し、自身から前記回路基板が取り外された場合に痕跡を残す回路基板封印手段を備える基板収納ケースと、を備え、前記電子部品封印手段は、係止穴を備え、前記回路基板に固定される封印基台と、挿通孔を備え、前記電子部品の少なくとも一部を覆う封印蓋と、係止爪を備え、前記挿通孔に挿通されると共に前記係止爪が前記係止穴内に挿入されて前記係止穴に係止される封印ピンと、からなり、前記電子部品封印手段を構成するいずれかの部品を破壊した場合に、前記電子部品を前記回路基板から取り外し可能となることを特徴とする、遊技台である。
【００２７】
（２２）本発明はまた、複数種類の図柄が施された複数のリールと、前記複数のリールの回転を開始させるスタートスイッチと、前記複数のリールにそれぞれ対応して設けられ、前記複数のリールの回転を個別に停止させるストップスイッチと、予め定められた複数種類の入賞役の内部当選の当否を抽選により判定する抽選手段と、停止時の前記複数のリールにより表示された図柄の組合せが前記抽選手段により内部当選した入賞役の図柄組み合わせであるか否かによって、前記入賞役の入賞を判定する判定手段と、を備えるスロットマシンであることを特徴とする、上記（１）乃至（２１）のいずれかに記載の遊技台である。
【００２８】
（２３）本発明はまた、所定の入賞口を有する遊技領域を備え、前記所定の入賞口に遊技球が入球することによって、遊技者に所定の特典を与えるパチンコ機であることを特徴とする、上記（１）乃至（２１）のいずれかに記載の遊技台である。
【００２９】
（２４）本発明はまた、第１の部材に配設される第２の部材を、第１の部材に封印する封印構造であって、係止穴を備え、前記第１の部材に固定される封印基台と、挿通孔を備え、前記第２の部材の少なくとも一部を覆う封印蓋と、係止爪を備え、前記挿通孔に挿通されると共に前記係止爪が前記係止穴内に挿入されて前記係止穴に係止される封印ピンと、からなり、前記電子部品封印手段を構成するいずれかの部品を破壊した場合に、前記電子部品を前記回路基板から取り外し可能となることを特徴とする、封印構造である。
【発明の効果】
【００３０】
本発明に係る遊技台によれば、正当な目的で電子部品等を取り外した場合に、容易に再封印を行うことができるという優れた効果を奏し得る。
【発明を実施するための最良の形態】
【００３１】
以下、図面を用いて、本発明の実施の形態に係るスロットマシン（遊技台）について詳細に説明する。
【００３２】
＜全体構成＞
【００３３】
まず、図１を用いて、本実施例１に係るスロットマシン１００の全体構成について説明する。なお、図１はスロットマシン１００の外観斜視図を示したものである。
【００３４】
スロットマシン１００は、略箱状の本体１０１と、この本体１０１の前面開口部に取り付けられた前面扉１０２とを有して構成されている。スロットマシン１００の本体１０１の中央内部には、外周面に複数種類の図柄が所定コマ数だけ配置されたリールが３個（左リール１１０、中リール１１１、右リール１１２）収納され、スロットマシン１００の内部で回転できるように構成されている。本実施例１において、各図柄は帯状部材に等間隔で適当数印刷され、この帯状部材が所定の円形枠材に貼り付けられて各リール１１０〜１１２が構成されている。リール１１０〜１１２上の図柄は、遊技者から見ると、図柄表示窓１１３から縦方向に概ね３つ表示され、合計９つの図柄が見えるようになっている。そして、各リール１１０〜１１２を回転させることにより、遊技者から見える図柄の組み合せが変動することとなる。なお、本実施例１では、３個のリールをスロットマシン１００の中央内部に備えているが、リールの数やリールの設置位置はこれに限定されるものではない。
【００３５】
また、各々のリール１１０〜１１２の背面には、図柄表示窓１１３に表示される個々の図柄を照明するためのバックライト（図示省略）が配置されている。なお、このバックライトは、各々の図柄ごとに遮蔽されて個々の図柄を均等に照射できるようにすることが望ましい。
【００３６】
さらに、スロットマシン１００内部において各々のリール１１０〜１１２の近傍には、投光部と受光部からなる光学式センサ（図示省略）が設けられており、この光学式センサの投光部と受光部の間を、リールに設けられた一定の長さの遮光片が通過するように構成されている。このセンサの検出結果に基づいてリール上の図柄の回転方向の位置を判断し、目的とする図柄が入賞ライン１１４上に表示されるようにリール１１０〜１１２を停止させる。
【００３７】
入賞ライン表示ランプ１２０は、有効となる入賞ラインを示すランプである。有効となる入賞ラインは、スロットマシン１００に投入されたメダルの数によって予め定まっている。５本の入賞ライン１１４のうち、例えば、メダルが１枚投入された場合、中段の水平入賞ラインが有効となり、メダルが２枚投入された場合、上段水平入賞ラインと下段水平入賞ラインが追加された３本が有効となり、メダルが３枚投入された場合、右下り入賞ラインと右上り入賞ラインが追加された５本が入賞ラインとして有効になる。なお、入賞ライン１１４の数については５本に限定されるものではない。
【００３８】
スタートランプ１２１は、リール１１０〜１１２が回転することができる状態にあることを遊技者に知らせるランプである。再遊技ランプ１２２は、前回の遊技において入賞役の一つである再遊技役に入賞した場合に、今回の遊技が再遊技可能であること（メダルの投入が不要であること）を遊技者に知らせるランプである。告知ランプ１２３は、内部抽選において、特定の入賞役（例えば、ＢＢ（ビッグボーナス）やＲＢ（レギュラーボーナス）等のボーナス）に内部当選していることを遊技者に知らせるランプである。メダル投入ランプ１２４は、メダルの投入が可能であることを知らせるランプである。払出枚数表示器１２５は、何らかの入賞役に入賞した結果、遊技者に払出されるメダルの枚数を表示するための表示器である。遊技回数表示器１２６は、メダル投入時のエラー表示や、ビッグボーナス遊技中（ＢＢ遊技中）の遊技回数、所定の入賞役の入賞回数等を表示するための表示器である。貯留枚数表示器１２７は、スロットマシン１００に電子的に貯留されているメダルの枚数を表示するための表示器である。リールパネルランプ１２８は、演出用のランプである。
【００３９】
メダル投入ボタン１３０、１３１は、スロットマシン１００に電子的に貯留されているメダルを所定の枚数分投入するためのボタンである。本実施例１においては、メダル投入ボタン１３０が押下される毎に１枚ずつ最大３枚まで投入され、メダル投入ボタン１３１が押下されると３枚投入されるようになっている。メダル投入口１３４は、遊技を開始するに当たって遊技者がメダルを投入するための投入口である。すなわち、メダルの投入は、メダル投入ボタン１３０または１３１により電子的に投入することもできるし、メダル投入口１３４から実際のメダルを投入することもできる。精算ボタン１３２は、スロットマシン１００に電子的に貯留されたメダルおよびベットされたメダルを精算し、メダル払出口１５５よりメダル受皿１５６に排出するためのボタンである。メダル返却ボタン１３３は、投入されたメダルが詰まった場合に押下してメダルを取り除くためのボタンである。
【００４０】
スタートレバー１３５は、遊技の開始操作を行うためのレバー型のスイッチである。即ち、メダル投入口１３４に所望する枚数のメダルを投入して、スタートレバー１３５を操作すると、これを契機としてリール１１０〜１１２が回転し、遊技が開始される。ストップボタン１３７〜１３９は、スタートレバー１３５の操作によって回転を開始したリール１１０〜１１２に対する停止操作を行うためのボタンであり、各リール１１０〜１１２に対応して設けられている。そして、いずれかのストップボタン１３７〜１３９を操作すると対応するいずれかのリール１１０〜１１２が停止することになる。
【００４１】
ドアキー１４０は、スロットマシン１００の前面扉１０２のロックを解除するためのキーを挿入する孔である。メダル払出口１５５は、メダルを払出するための払出口である。メダル受皿１５６は、メダル払出口１５５から払出されたメダルを溜めるための器である。なお、メダル受皿１５６は、本実施例１では発光可能な受皿を採用しており、以下受皿ランプと呼ぶこともある。
【００４２】
上部ランプ１５０、サイドランプ１５１、中央ランプ１５２、腰部ランプ１５３、下部ランプ１５４、受皿ランプ１５６は、遊技を盛り上げるための装飾用のランプである。演出装置１５７は、例えば開閉自在な扉（シャッター）１６３が前面に取り付けられた液晶表示装置を含み、この演出装置１５７には、例えば小役告知等の各種の情報が表示される。音孔１６０は、スロットマシン１００内部に設けられているスピーカの音を外部に出力するための孔である。タイトルパネル１６２には、スロットマシン１００を装飾するための図柄が描かれる。
【００４３】
＜本体内部構造＞
【００４４】
次に、本実施形態のスロットマシン１００の内部構成について説明する。
【００４５】
図２は、前面扉１０２を開いた状態（前面扉１０２は図示省略）にあるスロットマシン１００の正面図であり、スロットマシン１００の内部構成を示す図である。
【００４６】
図２に示されるように、本体１０１は、キャビネット２１０内に、基板収納ケース５００、リールユニット２２０、電源ユニット２３０、補助収納ケース２４０、メダル払出装置２５０、中央スピーカユニット２６０、副制御基板２７０、外部中継端子板２９０等が配設されている。
【００４７】
キャビネット２１０は、上部に排気口２１０ａと下部に吸気口２１０ｂを有する木製の箱体である。キャビネット２１０内壁には、右側、左側、背面の各壁面にフレームグラウンド板２１２、２１４、２１６が設けられている。フレームグラウンド板２１２、２１４、２１６は、互いに電気的に接続され、キャビネット２１０内に配設された各装置のフレームグラウンドが接続される。これにより各装置のフレームグラウンドを同電位にするのと同時に、キャビネット２１０内の各装置を静電気や電波と言った外部ノイズから保護することができる。キャビネット２１０内には、リールユニット２２０を在置するためのリールユニット固定板２１８が設けられている。リールユニット固定板２１８もフレームグウランド板２１２、２１４、２１６に電気的に接続されている。
【００４８】
リールユニット２２０は、樹脂製のケース内にステッピングモータで駆動されるリール１１０、１１１、１１２を個別に着脱可能に取り付けられている。樹脂ケースの上面には、他の制御部と接続するための中継基板が装着されている。リールユニット２２０は、樹脂ケースで３本のリールをユニット化し、着脱を容易に行えるように構成している。
【００４９】
基板収納ケース５００は、キャビネット２１０内の背面上部に取り付けられている透明な樹脂ケースで、内部空間にスロットマシン１００の全体的な制御を行う主制御部３００を構成する電子部品を実装した主制御基板５０３を収納している。基板収納ケース５００の詳細については後述する。
【００５０】
電源ボックス２３０は、キャビネット２１０の背面の壁面に装着された金属製のケース内にスロットマシン１００の各駆動部や制御部へ必要な電力を供給するための電源基板（図示せず）を収納している。また、電源ボックス２３０の電源スイッチ２３２、すなわちスロットマシン１００の電源スイッチ２３２は、本実施形態ではリールユニット固定板２１８の下部に別体で固定されている。電源スイッチ２３２と併せて設定値変更許可スイッチ２３４も併設されている。これは、各スイッチが操作し易いよう配慮してのことである。
【００５１】
設定値変更許可スイッチ２３４は、いわゆる設定キースイッチであり、キー孔に所定のキーを挿入して、時計回りに９０度回転させるとオン状態となり、キーを戻して初期状態にするとオフ状態になる。電源スイッチ２３２は、つまみを上に向けると、オン状態になり、つまみを戻すとオフ状態になる。また、電源ボックス２３０の上端部には、コネクタを接続可能な受け口（図示せず）が複数個設けられている。電源ボックス２３０は、この受け口から接続ケーブルを介して、電力を各部に供給する。
【００５２】
また、キャビネット２１０の背面壁には、電源ボックス２３０とほぼ同形の通気孔が、キャビネット２１０の背面を貫通するように形成されている。さらに、電源ボックス２３０の通気孔に対応する背面は、電源ボックス２３０の内部で発生した熱を外部へ効率よく排出できるような部材（本実施形態ではパンチメタル）で構成されている。
【００５３】
メダル払出装置２４０は、メダルを払い出すための装置（いわゆるホッパー）である。メダル払出装置２４０は、ＤＣモータで駆動されメダルを１枚ずつ払い出すとともにメダルを払い出す毎に検出信号を出力する払出装置本体と、払出装置本体にメダルを供給するとともにメダルを蓄積するタンクとで構成されている。メダル払出装置２４０の横には、補助収納ケース２５０が置かれている。メダル払出装置２４０がメダルでいっぱいになると、余分なメダルは流れ落ち、補助収納ケース２５０内に蓄積される。
【００５４】
また、メダル払出装置２４０は、キャビネット２１０の底部に装着されたレール板上にスライド可能に設置されている。レール板のキャビネット２１０背面壁側にはコネクタが設けられている。コネクタには、メダル払出装置２４０に対する電力の供給や制御信号の送受信を目的としたケーブルが接続される。メダル払出装置２４０の背面には、このコネクタに接続可能なコネクタが配設されている。メダル払出装置２４０は、レール板の上を前後方向にスライドさせることが可能で、メダル払出装置２４０をレール板に沿って奥まで押し込むと、メダル払出装置２４０のコネクタがレール板のコネクタに接続されるようになっている。
【００５５】
背面スピーカユニット２６０は、キャビネット２１０の背面壁に設けられたスピーカと、スピーカからの効果音を前面扉１０２のスピーカカバー１７３まで案内するためのスピーカダクトとで構成されている。スピーカから出力される中低音は、スロットマシン１００の背面から出力されるとともにスピーカダクトを介してスピーカカバー１７３からも出力される。
【００５６】
副制御基板２７０は、キャビネット２１０の側面に装着され、効果音、演出用ランプ、リールバックランプ、演出表示部等で実行される演出を制御する副制御部４００を構成する電子部品を実装した制御基板である。副制御基板２７０は、後述の基板収納ケースに収納された主制御基板５０３の送信する制御コマンドに従って演出を制御する。
【００５７】
外部集中端子板２９０は、スロットマシン１００から出力される遊技情報をホールコンピュータに送信するためのインタフェース基板である。外部集中端子板２９０から出力される遊技情報は、ホールコンピュータに送られて集計される。
【００５８】
＜基板収納ケース＞
次に、本実施形態のスロットマシン１００の基板収納ケース５００について詳細に説明する。
【００５９】
図３は、スロットマシン１００のキャビネット２１０内に設けられた基板収納ケース５００の正面図である。また、図４は、本実施形態の基板収納ケース５００の分解斜視図である。
【００６０】
基板収納ケース５００は、前面カバー５０１、背面カバー５０２、主制御基板５０３、結合キャップ（結合部材）５０７、封印キャップ（封印部材）５０９で構成されている。前面カバー５０１および背面カバー５０２は、本実施形態では透光性樹脂を用いて成型されている。このため基板収納ケース５００の外部から内部に収納されている主制御基板５０３が視認可能になっている。
【００６１】
前面カバー５０１と背面カバー５０２とは、組み合せることによって主制御基板５０３を収納するための空間を形成する箱体となる。そして、前面カバー５０１および背面カバー５０２のそれぞれには、両者が一体となるために必要な連結部５１２と係止部５１３とが形成されている。
【００６２】
連結部５１２は、前面カバー５０１側に設けられたフック部５１２ａと背面カバー５０２側に設けられたヒンジ部５１２ｂとで構成されている。基板収納ケース５００を組み立てる際には、フック部５１２ａとヒンジ部５１２ｂとを係合する。本実施形態では、連結部５１２は、４箇所形成されている。
【００６３】
係止部５１３は、前面カバー５０１側に設けられた係止舌片部５１３ａと背面カバー５０２側に設けられた係合部５１３ｂとで構成されている。基板収納ケース５００を組み立てる際には、連結部５１２を組み合せ、前面カバー５０１と背面カバー５０２とを合わせ係止部５１３の係止舌片部５１３ａを係合部５１３ｂに係合させることで一体化することができる。本実施形態では、係止部５１３は、連結部５１２の反対側に２箇所形成されている。
【００６４】
そして、前面カバー５０１および背面カバー５０２には、両者を分離できないように封印するための封印取付部５１４と基板収納ケース５００をスロットマシン１００のキャビネット２１０内に固定するためのケース固定部５１６とが形成されている。
【００６５】
また、前面カバー５０１側には、予備キャップホルダー部５１８が形成されている。
【００６６】
前面カバー５０１には、主制御基板５０３のコネクタ部と接続するための孔部５１０ａが複数設けられている。孔部５１０ａから接続コネクタを主制御基板５０３に接続し、主制御基板５０３と外部機器との接続を図っている。また、通気孔５１０ｂが複数設けられ、主制御基板５０３で発生した熱を外部に放出する。そして、前面カバー５０１の上面には、検査のために着脱した際にその履歴を記載するシール等が、シール貼付部５１０ｃに貼り付けられる。
【００６７】
前面カバー５０１および背面カバー５０２の内側には、主制御基板５０３を位置決めするための位置決めピン５０２ｂが設けられ、主制御基板５０３に設けられた位置決め孔５３２ａに挿通されることにより位置決めされ固定される。
【００６８】
封印取付部５１４は、前面カバー５０１と背面カバー５０２とが一体化した時に形成される部位である。封印取付部５１４は、前面カバー５０１と背面カバー５０２とを分離できないように封印するための部品を装着するために設けられている。封印取付部５１４は、前面カバー５０１および背面カバー５０２の各々に設けられたキャップ取付孔５１４ａ内にブリッジ（連結部材）５１４ｃで固定されたキャップ案内部（案内部）５１４ｂを設けて構成されている。互いのキャップ案内部５１４ｂに連通して結合キャップ５０７が取り付けられるようになっている。
【００６９】
基板収納ケース５００を組み立てた後に結合キャップ５０７および封印キャップ５０９を装着して基板収納ケース５００を封印する。すなわち、本実施形態では、結合キャップ５０７、封印キャップ５０９および封印取付部５１４によって、回路基板封印手段が構成されている。また、本実施形態では、封印取付部５１４は、４箇所設けられている。封印取付部５１４は、基板収納ケース５００を封印する際に１箇所使用される。従って、基板収納ケース５００は、４回封印することができることになる。
【００７０】
ケース固定部５１６は、封印取付部５１４に挟まれるように配置されている。ケース固定部５１６は、基板収納ケース５００をキャビネット２１０に止着するとともにキャビネット２１０から基板収納ケース５００を着脱できないようにするためのものである。詳細な説明については省略するが、ケース固定部５１６は、本実施形態では２箇所設けられている。ケース固定部５１６は、基板収納ケース５００をキャビネット２１０に固定する際に１箇所使用される。従って、基板収納ケース５００は、スロットマシン１００のキャビネット２１０に２回固定することができることになる。
【００７１】
予備キャップホルダー部５１８は、封印取付部５１４で封印時に使用される結合キャップ５０７、封印キャップ５０９の予備分を１組分装備しておくためのホルダー部である。予備キャップホルダー部５１８には、結合キャップ５０７と封印キャップ５０９とを１個ずつ装着できる孔５１８ａが設けられている。本実施形態では、予備キャップホルダー部５１８を基板収納ケース５００の外側に設けているが、内部に設けるようにしても良い。
【００７２】
主制御基板５０３は、主制御部３００を構成する回路基板５３２上に電子部品を実装して構成されている。この回路基板５３２には、基板収納ケース５００内部の所定の位置に固定されるように、位置決め孔５３２ａが複数箇所に設けられている。さらに、回路基板５３２上には、回路基板５３２上に実装された電子部品を封印するための電子部品封印手段６００が配設されている。電子部品封印手段６００の詳細については、後述する。
【００７３】
＜制御部＞
【００７４】
次に、図５および図６を用いて、このスロットマシン１００の制御部の回路構成について詳細に説明する。
【００７５】
スロットマシン１００の制御部は、大別すると、遊技の中枢部分を制御する主制御部３００と、主制御部３００より送信されたコマンドに応じて各種機器を制御する副制御部４００と、によって構成されている。
【００７６】
＜主制御部＞
【００７７】
まず、図５を用いて、スロットマシン１００の主制御部３００について説明する。なお、同図は主制御部３００の回路ブロック図を示したものである。
【００７８】
主制御部３００は、主制御部３００の全体を制御するための演算処理装置であるＣＰＵ３１０や、ＣＰＵ３１０が各ＩＣや各回路と信号の送受信を行うためのデータバスおよびアドレスバスを備え、その他、以下に述べる構成を有する。クロック補正回路３１４は、水晶発振器３１１から発振されたクロックを分周してＣＰＵ３１０に供給する回路である。例えば、水晶発振器３１１の周波数が１２ＭＨｚの場合に、分周後のクロックは６ＭＨｚとなる。ＣＰＵ３１０は、クロック補正回路３１４により分周されたクロックをシステムクロックとして受け入れて動作する。
【００７９】
また、ＣＰＵ３１０には、センサやスイッチの状態を常時監視するためのタイマ割り込み処理の周期やモータの駆動パルスの送信周期を設定するためのタイマ回路３１５がバスを介して接続されている。ＣＰＵ３１０は、電源が投入されると、データバスを介してＲＯＭ３１２の所定エリアに格納された分周用のデータをタイマ回路３１５に送信する。タイマ回路３１５は、受信した分周用のデータを基に割り込み時間を決定し、この割り込み時間ごとに、割り込み要求をＣＰＵ３１０に送信する。ＣＰＵ３１０は、この割込み要求を契機に、各センサ等の監視や駆動パルスの送信を実行する。例えば、ＣＰＵ３１０のシステムクロックを６ＭＨｚ、タイマ回路３１５の分周値を１／２５６、ＲＯＭ３１２の分周用のデータを４４に設定した場合、この割り込みの基準時間は、２５６×４４÷６ＭＨｚ＝１．８７７ｍｓとなる。
【００８０】
さらに、ＣＰＵ３１０には、各ＩＣを制御するためのプログラム、入賞役の内部抽選時に用いる抽選データ、リールの停止位置等の各種データを記憶しているＲＯＭ３１２や、一時的なデータを保存するためのＲＡＭ３１３が接続されている。これらのＲＯＭ３１２やＲＡＭ３１３については他の記憶手段を用いてもよく、この点は後述する副制御部４００においても同様である。また、ＣＰＵ３１０には、外部の信号を受信するための入力インタフェース３６０が接続され、割込み時間ごとに入力インタフェース３６０を介して、スタートレバーセンサ３２１、ストップボタンセンサ３２２、メダル投入ボタンセンサ３２３、精算ボタンセンサ３２４、メダル払い出しセンサ３２６の状態を検出し、各センサを監視している。
【００８１】
メダル投入センサ３２０は、メダル投入口１３４に投入されたメダルを検出するためのセンサである。スタートレバーセンサ３２１はスタートレバー１３５の操作を検出するためのセンサである。ストップボタンセンサ３２２はストップボタン１３７〜１３９のいずれかが押された場合、どのストップボタンが押されたかを検出するためのセンサである。メダル投入ボタンセンサ３２３はメダル投入ボタン１３０、１３１のいずれかが押下された場合、どのメダル投入ボタンが押されたかを検出するためのセンサである。精算ボタンセンサ３２４は、精算ボタン１３２に設けられており、精算ボタン１３２が一回押されると、貯留されているメダルおよびベットされているメダルが精算されて払い出されることになる。メダル払い出しセンサ３２６は、払い出されるメダルを検出するためのセンサである。
【００８２】
ＣＰＵ３１０には、さらに、入力インタフェース３６１、出力インタフェース３７０、３７１がアドレスデコード回路３５０を介してアドレスバスに接続されている。ＣＰＵ３１０は、これらのインタフェースを介して外部のデバイスと信号の送受信を行っている。入力インタフェース３６１には、インデックスセンサ３２５が接続されている。インデックスセンサ３２５は、各リール１１０〜１１２の取付台の所定位置に設置されており、リール１１０〜１１２に設けた遮光片がこのインデックスセンサ３２５を通過するたびにハイレベルになる。ＣＰＵ３１０は、この信号を検出すると、リールが１回転したものと判断し、リールの回転位置情報をゼロにリセットする。出力インタフェース３７０には、リールを駆動させるためのモータを制御するリールモータ駆動部３３０と、ホッパー（バケットにたまっているメダルをメダル払出口１５５から払出すための装置。図示省略。）のモータを駆動するためのホッパーモータ駆動部３３１と、遊技ランプ３４０（具体的には、入賞ライン表示ランプ１２０、スタートランプ１２１、再遊技ランプ１２２、告知ランプ１２３、メダル投入ランプ１２４等）と、７セグメント（ＳＥＧ）表示器３４１（払出枚数表示器１２５、遊技回数表示器１２６、貯留枚数表示器１２７等）が接続されている。
【００８３】
また、ＣＰＵ３１０には、乱数発生回路３１７がデータバスを介して接続されている。乱数発生回路３１７は、水晶発振器３１１および水晶発振器３１６から発振されるクロックに基づいて、一定の範囲内で値をインクリメントし、そのカウント値をＣＰＵ３１０に出力することのできるインクリメントカウンタであり、後述する入賞役の内部抽選をはじめ各種抽選処理に使用される。ＣＰＵ３１０のデータバスには、副制御部４００にコマンドを送信するための出力インタフェース３７１が接続されている。主制御部３００と副制御部４００との情報通信は一方向の通信であり、主制御部３００は副制御部４００へコマンドを送信するが、副制御部４００から主制御部３００へ何らかのコマンド等を送信することはできない。
【００８４】
＜副制御部＞
【００８５】
次に、図６を用いて、スロットマシン１００の副制御部４００について説明する。なお、同図は副制御部４００の回路ブロック図を示したものである。
【００８６】
副制御部４００は、主制御部３００より送信された主制御コマンド等に基づいて副制御部４００の全体を制御する演算処理装置であるＣＰＵ４１０や、ＣＰＵ４１０が各ＩＣ、各回路と信号の送受信を行うためのデータバスおよびアドレスバスを備え、以下に述べる構成を有する。クロック補正回路４１４は、水晶発振器４１１から発振されたクロックを補正し、補正後のクロックをシステムクロックとしてＣＰＵ４１０に供給する回路である。
【００８７】
また、ＣＰＵ４１０にはタイマ回路４１５がバスを介して接続されている。ＣＰＵ４１０は、所定のタイミングでデータバスを介してＲＯＭ４１２の所定エリアに格納された分周用のデータをタイマ回路４１５に送信する。タイマ回路４１５は、受信した分周用のデータを基に割り込み時間を決定し、この割り込み時間ごとに、割り込み要求をＣＰＵ４１０に送信する。ＣＰＵ４１０は、この割込み要求のタイミングをもとに、各ＩＣや各回路を制御する。
【００８８】
また、ＣＰＵ４１０には、副制御部４００の全体を制御するための命令およびデータ、バックライトの点灯パターンや各種表示器を制御するためのデータが記憶されたＲＯＭ４１２や、データ等を一時的に保存するためのＲＡＭ４１３が各バスを介して接続されている。
【００８９】
さらに、ＣＰＵ４１０には、外部の信号を送受信するための入出力インタフェース４６０が接続されており、入出力インタフェース４６０には、各リール１１０〜１１２の図柄を背面より照明するためのバックライト４２０、前面扉１０２の開閉を検出するための扉センサ４２１、ＲＡＭ４１３のデータをクリアにするためのリセットスイッチ４２２が接続されている。
【００９０】
ＣＰＵ４１０には、データバスを介して主制御部３００から主制御コマンドを受信するための入力インタフェース４６１が接続されており、入力インタフェース４６１を介して受信したコマンドに基づいて、遊技全体を盛り上げる演出処理等が実行される。また、ＣＰＵ４１０のデータバスとアドレスバスには、音源ＩＣ４８０が接続されている。音源ＩＣ４８０は、ＣＰＵ４１０からの命令に応じて音声の制御を行う。また、音源ＩＣ４８０には、音声データが記憶されたＲＯＭ４８１が接続されており、音源ＩＣ４８０は、ＲＯＭ４８１から取得した音声データをアンプ４８２で増幅させてスピーカ４８３から出力する。ＣＰＵ４１０には、主制御部３００と同様に、外部ＩＣを選択するためのアドレスデコード回路４５０が接続されており、アドレスデコード回路４５０には、主制御部３００からのコマンドを受信するための入力インタフェース４６１、扉・液晶画面制御部４９０からの信号を入力するための入力インタフェース４７１、時計ＩＣ４２３、７セグメント表示器４４０への信号を出力するための出力インタフェース４７２等が接続されている。
【００９１】
時計ＩＣ４２３が接続されていることで、ＣＰＵ４１０は、現在時刻を取得することが可能である。７セグメント表示器４４０は、スロットマシン１００の内部に設けられており、たとえば副制御部４００に設定された所定の情報を遊技店の係員等が確認できるようになっている。さらに、出力インタフェース４７０には、デマルチプレクサ４１９が接続されている。デマルチプレクサ４１９は、出力インタフェース４７０から送信された信号を各表示部等に分配する。即ち、デマルチプレクサ４１９は、ＣＰＵ４１０から受信されたデータに応じて上部ランプ１５０、サイドランプ１５１、中央ランプ１５２、腰部ランプ１５３、下部ランプ１５４、リールパネルランプ１２８、タイトルパネルランプ１７０、受け皿ランプ１５６、払出口ストロボ１７１を制御する。タイトルパネルランプ１７０は、タイトルパネル１６２を照明するランプであり、払出口ストロボ１７１は、払い出し口の内側に設置されたストロボタイプのランプである。なお、ＣＰＵ４１０は、扉・液晶画面制御部４９０への信号送信は、デマルチプレクサ４１９を介して実施する。扉・液晶画面制御部４９０は、液晶表示装置１５７および扉１６３を制御する制御部である。
【００９２】
＜主制御部メイン処理＞
【００９３】
次に、図７を用いて、主制御部３００のメイン処理について説明する。なお、同図は、主制御部３００のメイン処理の流れを示すフローチャートである。
【００９４】
遊技の基本的制御は、主制御部３００のＭａｉｎＣＰＵ３１０が中心になって行い、電源断等を検知しないかぎり、ＭａｉｎＣＰＵ３１０が同図の主制御部メイン処理を繰り返し実行する。
【００９５】
スロットマシン１００に電源が投入されると、まず、各種の初期化処理が実行され、その後、主制御部メイン処理のステップＳ１０１では、メダル投入に関する処理を行う。ここでは、メダルの投入の有無をチェックし、投入されたメダルの枚数に応じて入賞ライン表示ランプ１２０を点灯させる。なお、前回の遊技で再遊技に入賞した場合はメダルの投入が不要である。
【００９６】
ステップＳ１０２では、遊技のスタート操作に関する処理を行う。ここでは、スタートレバー１３５が操作されたか否かのチェックを行い、スタート操作されたと判断した場合は、投入されたメダル枚数を確定する。また、副制御部４００に対してスタートレバー受付コマンドを送信する。副制御部４００は、このスタートレバー受付コマンドを受信することによって遊技の開始を把握する。
【００９７】
ステップＳ１０３では、有効な入賞ライン１１４を確定する。
【００９８】
ステップＳ１０４では、乱数発生器３１７で発生させた乱数を取得する。
【００９９】
ステップＳ１０５では、ステップＳ１０４で取得した乱数値と、ＲＯＭ３１２に格納されている入賞役抽選テーブルを用いて、入賞役の内部抽選を行う。内部抽選の結果、いずれかの入賞役に内部当選した場合、その入賞役のフラグが内部的にＯＮになる。なお、ステップＳ１０４で取得した乱数値は、入賞役内部抽選のほかにも、リール停止制御テーブルを選択するときの抽選等にも使用してもよい。
【０１００】
ステップＳ１０６では、リール回転開始処理により、全リール１１０〜１１２の回転を開始させる。この際、ステップＳ１０５の内部抽選結果等に基づき、停止位置データ選択テーブルを参照し、いずれか一つのリール停止制御テーブルを選択する。
【０１０１】
ステップＳ１０７では、リール停止制御処理により、押されたストップボタン１３７〜１３９に対応するリール１１０〜１１２の回転を停止させる。この際、各リール１１０〜１１２を、ステップＳ１０６で選択したリール停止制御テーブルに基づいて停止させる。
【０１０２】
ステップＳ１０８では、ストップボタン１３７〜１３９が押されることによって停止した図柄の入賞判定を行う。ここでは、有効化された入賞ライン１１４上に、内部当選した入賞役またはフラグ持越し中の入賞役に対応する入賞図柄組合せが揃った（表示された）場合にその入賞役に入賞したと判定する。例えば、有効化された入賞ライン１１４上に、「リプレイ−リプレイ−リプレイ」が揃っていたならばリプレイ入賞と判定する。また、入賞した入賞役に対応するフラグがリセットされる。
【０１０３】
また、ステップＳ１０８では、副制御部４００に対して入賞判定コマンドを送信する。副制御部４００は、この入賞判定コマンドを受信することによって遊技の終了を把握する。
【０１０４】
ステップＳ１０９では、メダル払出処理を行う。このメダル払出処理では、払い出しのある何らかの入賞役に入賞していれば、その入賞役に対応する枚数のメダルを払い出す。
【０１０５】
ステップＳ１１０では、遊技状態制御処理を行う。この遊技状態制御処理では、遊技状態を移行するための制御が行われ、例えば、ＢＢ入賞やＳＲＢ入賞の場合に次回からＢＢ遊技またはＳＲＢ遊技を開始できるよう準備し、それらの最終遊技では、次回から通常遊技が開始できるよう準備する。
【０１０６】
以上により１遊技が終了し、以降、主制御部メイン処理を繰り返すことにより遊技が進行することになる。
【０１０７】
＜副制御部メイン処理＞
【０１０８】
次に、図８を用いて、副制御部メイン処理について説明する。なお、同図は、副制御部メイン処理の流れを示すフローチャートである。
【０１０９】
ステップＳ２０１では、主制御部３００からのコマンドを受信したか否かを判断する。何らかのコマンドを受信した場合はステップＳ５０２に進む。
【０１１０】
ステップＳ２０２では、主制御部３００から受信したコマンドの判定を行う。
【０１１１】
ステップＳ２０３では、受信したコマンドに基づいた各種演出処理を行う。
【０１１２】
＜電子部品封印手段＞
【０１１３】
次に、電子部品封印手段６００について説明する。図９は、電子部品封印手段６００の構造を示す分解斜視図である。本実施形態では、電子部品封印手段６００は、主制御部３００を構成する回路基板５３２上に配設されたＲＯＭ３１２を封印するために使用されている。なお、ＲＯＭ３１２は回路基板５３２の上面に配設されている（上方に位置している）と方向を定めて、以下説明を行う。
【０１１４】
まず、ＲＯＭ３１２は、回路基板５３２上に配設されたソケット５４０を介して回路基板５３２上に配設されている。このソケット５４０は、足部５４０ａを回路基板５３２にハンダ付け等されることで、回路基板５３２上に固定されており、上面に複数の挿入穴５４０ｂを備えている。そして、ＲＯＭ３１２は、リード３１２ａを挿入穴５４０ｂに挿入されて配設されている。すなわち、ＲＯＭ３１２は、リード３１２ａをソケット５４０の挿入穴５４０ｂに抜き差しするだけで容易に着脱可能となっている。電子部品封印手段６００は、このように容易に着脱可能なＲＯＭ３１２が、不正の目的で取り外され、不正なＲＯＭと交換されるのを防止するものである。なお、電子部品封印手段６００を、回路基板５３２上に配設されたＲＯＭ３１２以外の電子部品（例えばＣＰＵ３１０等）の封印に用いるようにしてもよいのは言うまでもない。
【０１１５】
図９に示されるように、電子部品封印手段６００は、回路基板５３２上に配設される２つの封印基台６１０と、この２つの封印基台６１０の上部に架け渡すように配設される封印蓋６２０と、この封印蓋６２０を封印基台６１０から取り外し不可能とするための封印ピン６３０と、によって構成されている。
【０１１６】
封印基台６１０は外形が略直方体状であり、上面に略四角形断面の２つの係止穴６１２が形成されている。封印基台６１０は、回路基板５３２上においてＲＯＭ３１２の長手方向の両端部近傍にそれぞれ配設されている。また、封印基台６１０は、リベットその他の手段によって回路基板５３２に強固に固定されており、回路基板５３２から容易に取り外せないようになっている。さらに、本実施形態では、封印基台６１０は、透明な素材により構成されており、外部から係止穴６１０の内部の様子を視認することができるようになっている。
【０１１７】
封印蓋６２０は略長方形の板状であり、長手方向の両端近傍に、それぞれ略四角形断面の２つの挿通孔６２２が形成されている。これらの挿通孔６２２は、封印蓋６２０を封印基台６１０の上面に配設した場合に４つの係止穴６１２に対応する位置に、それぞれ形成されている。また、本実施形態では、封印蓋６２０は、透明な素材により構成されている。
【０１１８】
封印ピン６３０は、略長円形の板状の頭部６３２と、頭部６３２の一方の面から突設される略四角形断面の棒状の胴部６３３と、胴部６３３の中央部からやや先端寄りの位置に形成される２つのＶ字状の切込からなる破断部６３４と、胴部６３３の先端近傍から側方の基端寄り斜め方向に向けて突出する２つの舌片からなる係止爪６３５と、胴部６３３の先端（係止爪６３５の基端）から側方に向けて突出する２つの舌片からなる仮係止爪６３６と、によって構成されている。
【０１１９】
図１０（ａ）〜（ｃ）は、電子部品封印手段６００を図９におけるＡ方向から見た状態を示す図である。同図に示されるように、封印蓋６２０は、２つの封印基台６１０の上面に架け渡されており、上方からＲＯＭ３１２を覆っている。そして封印ピン６３０は、上方から、胴部６３３が封印蓋６２０の挿通孔６２２に挿通され、係止爪６３５が封印基台６１０の係止穴６１２内に挿入されて配設される。詳細には、封印ピン６３０は、図１０（ａ）に示されるように、まず胴部６３３の先端が挿通孔６２２に差し込まれて挿入される。このとき、係止爪６３５は挿通孔６２２の内面に押圧されて弾性変形し、すぼまった状態となる。そして、さらに胴部６３３を差し込んでいくと、図１０（ｂ）に示されるように、係止爪６３５は、係止穴６１２内に進入する。係止穴６１２は、幅の狭い挿通部６１２ａおよび幅の広い保持部６１２ｂからなり、両者の段差部分は、係止端面６１２ｃとなっている。胴部６３３が差し込まれて行くにつれて、係止爪６３５は、図１０（ｂ）に示されるように、弾性変形したまま挿通部６１２ａを通過し、最終的に、図１０（ｃ）に示されるように、保持部６１２ｂ内に到達する。保持部６１２ｂ内では、押圧が解除されるため、係止爪６３５は当初の開いた状態に戻る。これにより、係止爪６３５の先端が係止穴６１２の係止端面６１２ｃに係止されるため、封印ピン６３０を係止穴６１２から抜き取ることが不可能となる。
【０１２０】
図１０（ｃ）に示されるように、封印ピン６３０の係止爪６３５が封印基台６１０の保持部６１２ｂ内に収容された状態では、封印蓋６２０は、封印基台６１０と封印ピン６３０の頭部６３２に挟まれ、且つ、封印ピン６３０の胴部６３３が挿通孔６２２に挿通された状態となる。従って、封印蓋６２０を移動させたり、向きを変えたりすることが不可能となるため、封印蓋６２０に覆われたＲＯＭ３１２を回路基板５３２から取り外すことは、電子部品封印手段６００のいずれかの部分を破壊しない限り不可能となる。すなわち、ＲＯＭ３１２は、電子部品封印手段６００によって封印される。
【０１２１】
図１１（ａ）および（ｂ）は、電子部品封印手段６００を図９におけるＢ方向から見た状態を示す図である。上述のように、封印ピン６３０は、破断部６３４を備えているため、この破断部６３４において容易に破壊（破断）され、２つに分割されることとなる。すなわち、ＲＯＭ３１２を取り外そうとして封印蓋６２０を無理に動かそうとすると、まず封印ピン６３０が破断部６３４において破断されることになる。換言すれば、封印ピン６３０を破断部６３４から破断することによって、封印蓋６２０を動かし、ＲＯＭ３１２を取り外すことができる。そして、図１１（ｂ）に示されるように、封印ピン６３０が破断部６３４において破断された場合には、分離された係止爪６３５を含む部分が、封印基台６１０の係止穴６１２の保持部６１２ｂ内に保持されたまま、残存するようになっている。さらに、係止爪６３５が係止端面６１２ｃによって係止されているため、分離した係止爪６３５を含む部分を保持部６１２ｂから取り除くことは不可能となっている。すなわち、分離した係止爪６３５を含む部分が保持部６１２ｂ内に保持されることによって、電子部品封印手段６００が破壊されて、ＲＯＭ３１２が取り外された痕跡を示すようになっている。上述したように、封印基台６１０は、透明な素材により構成されているため、保持部６１２ｂ内に保持されている分離した係止爪６３５を含む部分は、外部から容易に視認され、痕跡を確認できるようになっている。なお、封印基台６１０を透明な素材によって構成する代わりに、保持部６１２ｂ内に保持されている分離した係止爪６３５を含む部分を外部から視認可能とする窓部を、封印基台６１０に備えるようにしてもよい。また、封印ピン６３０を破断部６３４から破断した場合に胴部６３３の内部に封入されていた塗料等が飛散して周囲を着色し、封印が解除されたことをより明確に示すようにしてもよい。
【０１２２】
本実施形態では、封印基台６１０は、４つの係止穴を備えている。そして、１回の封印は、１つの係止穴６１２に１つの封印ピン６３０を挿入することによって行われる。従って、本実施形態の電子部品封印手段６００は、４回の封印を行うことが可能である。換言すれば、再封印を３回行うことができる。この封印可能回数（または再封印可能回数）は、上記した基板収納ケース５００の封印可能回数（または再封印可能回数）と同数に設定されている。なお、電子部品封印手段６００の封印可能回数を、基板収納ケース５００の封印可能回数よりも少なく設定するようにしてもよい。
【０１２３】
また、本実施形態では、封印ピン６３０に仮係止爪６３６を備えているため、図１０（ａ）〜（ｃ）の右側に示されるように、この仮係止爪６３６を封印蓋６２０の挿通孔６２２に係止させることができる。これにより、封印に使用しない予備の３つの封印ピン６３０を封印蓋６２０に仮留めしておくことが可能となっている。
【０１２４】
また、本実施形態では、このように４本の封印ピン６３０を使用する場合に、各封印ピン６３０をそれぞれ異なる色彩とすることで、各封印ピン６３０を容易に識別することが可能となっている。
【０１２５】
図１２および図１３は、電子部品封印手段６００における上下方向の寸法の概略を示す図である。まず、図１２に示されるように、ＲＯＭ３１２の上面から封印基台６１０の上面までの距離をＭ１とし、封印蓋６２０を封印ピン６３０の頭部６３２に当接させた場合の封印基台６１０の上面から封印蓋６２０の下面までの距離（遊び）をＭ２とし、ＲＯＭ３１２のリード３１２ａのソケット５４０の挿入穴５４０ｂに挿入されている部分の長さをＭ３とする。
【０１２６】
本実施形態では、Ｍ１＋Ｍ２＜Ｍ３、すなわち、Ｍ１にＭ２を加えた距離がＭ３よりも短くなるように設定している。このため、封印ピン６３０が係止穴６１２に挿入されてＲＯＭ３１２が封印されている場合には、図１３に示されるように、ＲＯＭ３１２を上方に移動させても、ＲＯＭ３１２のリード３１２ａがソケット５４０から抜けてしまうことがない。このように、電子部品封印手段６００では、ＲＯＭ３１２をソケット５４０から抜き差しする方向である上下方向の寸法を上記のように設定することで、封印された状態のままＲＯＭ３１２を横方向に移動させて取り外すといったような不正な行為を防止することを可能としている。
【０１２７】
図１４は、封印蓋６２０の平面図である。封印蓋６２０は、上述したように、透明な素材により構成されているため、封印蓋６２０を通してＲＯＭ３１２の表面に記された識別番号等の情報を視認することができる。従って、ＲＯＭ３１２が正規なものであるか否かを、封印された状態でも確認することができる。また、封印蓋６２０の上面には、ＲＯＭ３１２に記された情報を遮蔽しない位置に、情報記載シール６２３が貼付されている。この情報記載シール６２４には、ＲＯＭ３１２を封印した日付等の情報が記載される。なお、封印蓋６２０を透明な素材で構成する代わりに、ＲＯＭ３１２の表面に記された識別番号等の情報を外部から視認可能とする窓部を設けるようにしてもよい。
【０１２８】
図１５（ａ）および（ｂ）は、封印基台６１２の保持部６１２ｂ内に複数の分離した係止爪６３５を含む部分を保持可能にした場合の一例を示す図である。この場合の封印ピン６３０は、同図（ａ）に示されるように、破断部６３４が係止爪６３５の基端近傍に形成されている。これにより、破断部６３４から分離される係止爪６３５を含む部分をなるべく小さいものとすることができる。そして、この場合の係止穴６１２は、同図（ｂ）に示されるように、保持部６１２ｂが２つの分離された係止爪６３５を含む部分を保持可能なスペースを有して構成され、また、内面に係止突起６１２ｄが突設されている。このような構成にすることで、１つの係止穴６１２で２回の封印を行うことが可能となる。すなわち、既に分離された係止爪６３５ａを含む部分が保持部６１２ｂ内に保持されている場合にも、上から別の封印ピン６３０を新たに係止穴６１２に挿入することが可能である。このとき、既に分離されて保持されていた係止爪６３５ａを含む部分は保持部６１２ｂの上方において係止突起６１２ｄ上に保持されているが、新たに挿入された封印ピンに押されることで、保持部６１２ｂの下方に移動する。そして、係止爪６３５ａを含む部分は、係止爪６３５ａの先端が係止突起６１２ｄに係止された状態で、保持部６１２ｂの下方に保持され、新たに挿入された係止爪６３５を含む部分は、保持部６１２ｂの上方に保持される。
【０１２９】
このように、１つの係止穴６１２で２回の封印を行えるようにすることで、回路基板５３２上のスペースが狭い場合であっても、必要な回数だけ封印可能な電子部品封印手段６００を実現することができる。また、遊技台に使用されるＲＯＭ３１２はサイズが小さいものが一般的であるため、上記のように１つの係止穴６１２で複数回の封印を行えるようにすることで、封印基台６１０のサイズをＲＯＭ３１２のサイズに合わせた場合に、封印ピン６３０の形状を大きくすることができる。なお、保持部６１２ｂが２つ以上の複数個の分離された係止爪６３５を含む部分を保持可能として、１つの係止穴６１２で２回以上の複数回の封印を行うことができるようにしてもよい。
【０１３０】
図１６（ａ）および（ｂ）は、封印基台６１０の係止穴６１２を横方向に向けて開口させた場合の一例を示す図である。同図に示されるように、係止穴６１２は、封印基台６１０のＲＯＭ３１２の反対側（図の左側）の面において横方向に向けて開口している。また、封印蓋６２０の一端が下方に向けて突出され、この突出した部分において係止穴６１２に対応する位置に挿通孔６２２が形成されている。そして、封印ピン６３０は、ＲＯＭ３１２の反対側から横方向に挿通孔６２２および係止穴６１２に挿入される。
【０１３１】
この例では、封印ピン６３０を差し込む方向を横方向、すなわちＲＯＭ３１２を抜き差しする方向とは異なる方向としている。このようにすることで、分離された係止爪６３５を含む部分を複数保持可能なように、保持部６１２ｂを特に深く設定した場合であっても、ＲＯＭ３１２上面と封印蓋６２０の下面の間隔を、封印された状態のままＲＯＭ３１２を横方向に移動させて取り外すことが不可能な距離に設定することができる。なお、封印ピン６３０を図の前後方向に差し込むように、係止穴６１２および挿通孔６２２を形成してもよい。
【０１３２】
図１７（ａ）は、封印蓋６２０に挿通孔６２２を１つのみ形成するようにした一例を示す図である。同図に示されるように、この例では、１つの係止穴６１２に対応する位置に１つの挿通孔が形成されている。そして、残りの３つの係止穴６１２は封印蓋６２０によって遮蔽され、封印ピン６３０は挿入不可能となっている。さらに、この１つの挿通孔６２２は、封印蓋６２０の左右または表裏を逆にして向きを変えて配設することで、残りの３つの係止穴６１２に対応するようになっている。すなわち、この例においても４回の封印を行うことができる。このように、挿通孔６２２を１つとすることで、１回の封印時に間違えて２つの封印ピン６３０を係止穴６１２に挿入するといったミスを防ぐことができる。
【０１３３】
図１７（ｂ）は、封印蓋６２０の長手方向がＲＯＭ３１２の長手方向と直交するように、封印蓋６２０を配設した一例を示す図である。同図に示されるように、この例では、２つの係止穴６１０が設けられた封印基台６１０が、幅方向の片側に１つ設けられている。また、封印蓋６２０は長手方向の一端近傍に挿通孔６２２が係止穴６１２に対応して形成され、他端は下方に向けて突出させたＬ字形状となっている。そして、封印蓋６２０は、挿通孔６２２が形成された一端が封印基台６１０の上面に載置され、他端の突出部の下面が回路基板５３２上に載置され、封印蓋６２０の長手方向がＲＯＭ３１２の長手方向と直交するように配設される。
【０１３４】
このようにすることで、回路基板５３２上のスペースが狭い場合であっても電子部品封印手段６００を配設することが可能となる。また、封印基台６１０を１つとし、封印蓋６２０をコンパクトにすることで、電子部品封印手段６００の製造コストを低減することができる。なお、この例であっても、分離された係止爪６３５を含む部分を２つ保持可能に、係止穴６１２の保持部６１２ｂを設定することにより、４回の封印を行うことが可能なものとすることができる。
【０１３５】
図１８は、封印基台６１０と封印蓋６２０が互いに係合するようにした一例を示す図である。同図に示されるように、この例では、封印基台６１０は、ＲＯＭ３１２の長手方向の両端部近傍にそれぞれ配設されている。そして、ＲＯＭ３１２の幅方向に面する両端面において、ＲＯＭ３１２の長手方向に連続する係合溝６１４が形成されている。また、封印蓋６２０は、幅方向の両端面が下方に突出したコの字断面形状となっており、この２つの突出部分の内側面において長手方向に連続する係合凸部６２４が形成されている。そして、封印蓋６２０は、係合凸部６２４が係合溝６１４に嵌り、係合溝にガイドされてＲＯＭ３１２の長手方向にスライドするようにして、ＲＯＭ３１２を上方から覆う位置に配設される。
【０１３６】
このように、封印基台６１０の係合溝６１４と封印蓋６２０の係合凸部６２４を係合させることによって、ＲＯＭ３１２上面と封印蓋６２０の下面の間隔を、封印された状態のままＲＯＭ３１２を横方向に移動させて取り外すことが不可能な距離に、確実に維持することができる。また、図１８に示した例においては、ＲＯＭ３１２を上下左右全ての方向で覆うことができるため、封印された状態のＲＯＭ３１２に外部から触れることが不可能となり、不正行為をより確実に防止することができる。
【０１３７】
図１９（ａ）は、封印基台６１０および封印蓋６２０を熱伝導率の大きい素材により構成した一例を示す図である。この例では、封印基台６１０および封印蓋６２０は、銅やアルミ等の熱伝導率の大きい素材により構成されている。また、封印蓋６２０の下面は、ＲＯＭ３１２の上面に接触するように突出されている。
【０１３８】
このように、封印基台６１０および封印蓋６２０を熱伝導率の大きい素材により構成することで、ＲＯＭ３１２の発する熱を効率的に放熱することが可能となる。これにより、封印蓋６２０でＲＯＭ３１２を覆うことによってＲＯＭ３１２の発生する熱の放出が妨げられ、ＲＯＭ３１２が過熱されて不具合を起こすような事態を避けることができる。この例は、ＲＯＭ３１２ではなくＣＰＵ３１０を封印するような場合に、特に効果的である。なお、放熱をより効果的にするために、放熱フィンを封印蓋６２０に設けるようにしてもよい。
【０１３９】
図１９（ｂ）は、封印基台６１０にＩＣタグ６４０を備えた一例を示す図である。この例では、同図に示されるように、ＩＣタグ６４０が封印基台６１０の内部に埋め込まれている。そしてこのＩＣタグには、封印基台の識別番号等の電子部品封印手段６００に関する情報、封印した年月日等の封印に関する情報、および封印されているＲＯＭ３１２に関する情報等が記憶されている。このようにすることで、封印基台６１０が不正に交換されたことを容易に識別することが可能となる。すなわち、封印基台６１０を不正に交換することで、不正に封印を解除したことを隠蔽するような行為を防ぐことができる。なお、封印蓋６２０および封印ピン６３０にＩＣタグを備えるようにしてもよい。
【０１４０】
図２０は、電子部品封印手段６００を基板収納ケース５００に適用した一例を示す図である。同図に示されるように、回路基板封印手段を結合キャップ５０７、封印キャップ５０９および封印取付部５１４によって構成するのではなく、電子部品封印手段６００と同じ構成とすることもできる。すなわち、背面カバーを封印基台として、２つの係止穴６１２を形成し、さらに、全面カバー５０１を封印蓋として、２つの挿通孔６２２を形成し、封印ピン６３０を挿通孔６２２および係止穴６１２に挿入することにより、回路基板封印手段を構成するようにしてもよい。この例においては、係止穴６１２は分離された係止爪６３５を含む部分を２つ収容可能に構成されている。従って、この例における回路基板封印手段は、４回の封印を行うことが可能となっている。
【０１４１】
以上説明したように、本実施形態に係るスロットマシン１００は、所定の回路パターンが形成された回路基板５３２と、回路基板５３２上に配設される電子部品（本実施形態では、ＲＯＭ）３１２と、回路基板５３２上に配設されて電子部品３１２を回路基板５３２に封印し、電子部品３１２が回路基板５３２から取り外された場合に痕跡を残すと共に、所定の回数だけ再封印可能に構成される電子部品封印手段６００と、を備えるため、電子部品３１２の不正な取り外しを未然に防止することができる上に、電子部品３１２の損傷や劣化等により、正当な目的で電子部品３１２を取り外した場合でも容易に再封印を行うことができる。
【０１４２】
また、回路基板５３２を収容し、自身から回路基板５３２が取り外された場合に痕跡を残す回路基板封印手段（本実施形態では、結合キャップ５０７、封印キャップ５０９および封印取付部５１４から構成される）を備える基板収納ケース５００をさらに備え、電子部品封印手段６００は、回路基板封印手段が再封印可能な回数以下の回数だけ再封印可能であるため、回路基板封止手段の再封止可能回数を電子部品封止可能回数以上とすることで、電子部品の封止を行った際に回路基板の封止を行うことができないといったことを防止することができる。
さらに、回路基板封印手段以外の部分において、破壊されたことが一見して分からないように巧妙に基板収納ケース５００を破壊し、電子部品封印手段６００を破壊して電子部品３１２を交換するという不正行為が行われた場合であっても、回路基板封印手段を再封印可能な残存数よりも電子部品封印手段６００を再封印可能な残存数の方が少なくなるため、不正が行われたことを容易に判断することができる。つまり、回路基板封印手段の再封印可能な残存数と電子部品封印手段の再封印可能な残存数を比較することで、不正行為の有無を判別することが可能となる。
また、電子部品封印手段６００は、基板収納ケース５００内に収容された回路基板５３２上に配設され、基板収納ケース５００または回路基板５３２よりも小さいものである。このため、上記基板収納ケース５００のように、破壊されたことが一見して分からないように巧妙に電子部品封印手段６００を破壊することは困難であり、このように巧妙な不正行為が行われることを防止することができる。
また、基板収納ケース５００の回路基板封印手段により回路基板５３２の封印を行い、さらに電子部品封印手段６００により電子部品等の封印を行うことで、特定の電子部品等について、他の電子部品等よりも厳重に封印を行うことができる。
【０１４３】
また、電子部品封印手段６００は、係止穴６１２を備え、回路基板５３２に固定される封印基台６１０と、挿通孔６２２を備え、電子部品３１２の少なくとも一部を覆う封印蓋６２０と、係止爪６３５を備え、挿通孔６２２に挿通されると共に係止爪６３５が係止穴６１２内に挿入されて係止穴６１２に係止される封印ピン６３０と、からなり、電子部品封印手段６００を構成するいずれかの部品を破壊した場合に、電子部品３１２を回路基板５３２から取り外し可能となるため、封印ピン６３０を挿通孔６２２および係止穴６１２に挿入するだけで、容易かつ確実に封印を行うことができる。また、封印されているか否かを明確に識別することができる。
【０１４４】
また、封印ピン６３０は、電子部品３１２を回路基板５３２から取り外す場合に係止爪６３５を含む部分を分離するように破断される破断部６３４を備え、封印基台６１０の係止穴６１２は、電子部品３１２を回路基板５３２から取り外すために封印ピン６３０が破断された後に、分離された係止爪６３５を含む部分を保持する保持部６１２ｂを備えるため、封印が解除された痕跡を明確に残すことができる。
【０１４５】
また、封印基台６１０は、保持部６１２ｂ内に保持している係止爪６３５を含む部分を外部から視認可能に構成されているため、封印が解除されたことを外部から明確に識別することができる。
【０１４６】
また、封印基台６１０の係止穴６１２の保持部６１２ｂは、複数の分離された係止爪６３５を含む部分を保持するため、電子部品封印手段６００の設置スペースを大きくとらなくても、必要な回数だけ封印可能とすることができる。
【０１４７】
また、電子部品封印手段６００は、係止穴６１０を複数備えるため、複数の係止穴６１２に１つずつ封印ピン６３０を挿入することで、複数回の封印を行うことができる。
【０１４８】
また、電子部品封印手段６００は、挿通孔６２２を複数備えるため、複数の挿通孔６２２および係止穴６１２に１つずつ封印ピン６３０を挿入することで、複数回の封印を行うことができる。
【０１４９】
また、封印蓋６２０は、１つの挿通孔６２２を備え、１つの挿通孔６２２は、封印蓋６２０の向きを変えて配設することによって、複数の係止穴６１２のいずれかに対応し、１つの挿通孔６２２と対応しない係止穴６１２は、係止爪６３５を挿入不可能に封印蓋６２０によって遮蔽されるため、使用する係止穴６１２以外の係止穴６１２に蓋をすることで、封印ピン６３０の挿入ミスを防止することができる。
【０１５０】
また、封印蓋６２０は、所定の向きにのみ配設可能であるため、予め定まった態様で封印蓋６２０を配設することができる。
【０１５１】
また、電子部品封印手段６００は、少なくとも一部が透明な素材により構成されるため、封印を解除しなくても電子部品３１２の状態や識別番号等を確認することができる。
【０１５２】
また、封印ピン６３０は、電子部品３１２を回路基板５３２に取り付ける方向とは異なる方向から挿通孔６２２に挿通され、係止爪６３５が係止穴６１２内に挿入されて係止穴６１２に係止されるため、電子部品３１２の抜き差し方向に遊びを設ける必要がなく、電子部品３１２を封印された状態のまま横から取り外されることを防止することができる。
【０１５３】
また、封印蓋６２０は、第１の係合部（本実施形態では、係合凸部）６２４を備え、封印基台６１０は、第１の係合部６２４と係合する第２の係合部（本実施形態では、係合溝）６１４を備えるため、第１の係合部６２４と第２の係合部が係合することで、封印蓋６２０と封印基台６１０の接続を安定させることができる。
【０１５４】
また、電子部品３１２は、回路基板５３２上に固定されたソケット５４０に自身のリード３１２ａを挿入されることで回路基板５３２上に配設され、電子部品３１２の上面と封印蓋６２０の下面との間隔は、遊びを加えても、リード３１２ａのソケット５４０に挿入される部分の長さよりも短いため、封印蓋６２０を移動させない限り電子部品３１２を取り外せないようにすることができる。
【０１５５】
また、電子部品封印手段６００は、少なくとも一部が前記回路基板よりも熱伝導率の大きい素材により構成されるため、電子部品３１２が発する熱を外部に放熱することが可能となり、封印された電子部品３１２が熱により不具合を起こすのを防止することができる。
【０１５６】
また、封印基台６１０、封印蓋６２０、封印ピン６３０の少なくともいずれか１つは、ＩＣタグ６４０を備えるため、すり替えにより封印解除の痕跡が除去されるのを防止することができる。
【０１５７】
また、封印蓋６２０は、自身の長手方向が、封印される電子部品３１２の長手方向と直交するように配設されるため、封印蓋６２０の大きさを最小限にすることが可能となり、電子部品封印手段６００の設置スペースを減少させると共に、製造コストを低減させることができる。
【０１５８】
また、封印蓋６２０は、封印に関する情報を記録する封印情報記録部（本実施形態では、上方記載シール）６２４を備え、電子部品３１２の表面に記された情報を外部から視認可能に構成されるため、電子部品３１２の表面に記された情報を識別可能としながら、封印に関する情報を記録することができる。
【０１５９】
また、前記電子部品封印手段により封印される電子部品は、ＩＣパッケージであるため、重要な情報が記憶されたＩＣパッケージを再封印可能に封印することができる。
【０１６０】
また、ＩＣパッケージは、遊技に関する情報を記憶しているため、遊技において不正に利益を得るために、入賞役の抽選データ等が記憶されたＲＯＭを不正に交換する等の不正行為を防止することができる。
【０１６１】
また、所定の回路パターンが形成された回路基板５３２と、回路基板５３２上に配設される電子部品３１２と、少なくとも一部が透明な素材で構成され、回路基板５３２上に配設されて電子部品３１２を回路基板５３２に封印し、電子部品３１２が回路基板５３２から取り外された場合に痕跡を残すと共に、所定の回数だけ再封印可能に構成される電子部品封印手段６００と、少なくとも一部が透明な素材で構成され、回路基板５３２を収容し、自身から回路基板５３２が取り外された場合に痕跡を残す回路基板封印手段を備える基板収納ケース５００と、を備え、電子部品封印手段６００は、係止穴６１２を備え、回路基板５３２に固定される封印基台６１０と、挿通孔６２２を備え、電子部品３１２の少なくとも一部を覆う封印蓋６２０と、係止爪６３５を備え、挿通孔６２２に挿通されると共に係止爪６３５が係止穴６１２内に挿入されて係止穴６１２に係止される封印ピン６３０と、からなり、電子部品封印手段６００を構成するいずれかの部品を破壊した場合に、電子部品３１２を回路基板５３２から取り外し可能となるため、電子部品３１２の不正な取り外しを未然に防止することができる上に、電子部品３１２の損傷や劣化等により、正当な目的で電子部品３１２を取り外した場合でも容易に再封印を行うことができる。
【０１６２】
また、複数種類の図柄が施された複数のリール１１０〜１１２と、複数のリール１１０〜１１２の回転を開始させるスタートスイッチ（本実施形態ではスタートレバー）１３５と、複数のリール１１０〜１１２にそれぞれ対応して設けられ、複数のリール１１０〜１１２の回転を個別に停止させるストップスイッチ（本実施形態では、ストップボタン）１３７〜１３９と、予め定められた複数種類の入賞役の内部当選の当否を抽選により判定する抽選手段（本実施形態では、主制御部メイン処理におけるステップＳ１０５）と、停止時の複数のリール１１０〜１１２により表示された図柄の組合せが抽選手段により内部当選した入賞役の図柄組み合わせであるか否かによって、入賞役の入賞を判定する判定手段（本実施形態では、主制御部メイン処理におけるステップＳ１０８）と、を備えるスロットマシンであるため、スロットマシンの回路基板５３２に配設された電子部品３１２等を再封印可能に封印することで、電子部品３１２等を不正に交換した上で遊技を行う等の不正行為を未然に防止することができる上に、電子部品３１２等の損傷や劣化等により、正当な目的で電子部品３１２等を取り外した場合でも容易に再封印を行うことができる。
【０１６３】
以上、本発明の実施の形態について説明してきたが、本発明に係る締結装置および遊技台は、上記した実施の形態に限定されるものではなく、本発明の要旨を逸脱しない範囲内において種々の変形や変更を施すことができることはいうまでもない。例えば、電子部品封印手段６００は、主制御部３００を構成する回路基板５３２上に配設された各種電子部品のみならず、副制御部４００を構成する回路基板上に配設された各種電子部品や、その他の場所に配設された機械部品または各種部材を封印するのに用いてもよい。
【０１６４】
また、上記実施の形態において説明した電子部品封印手段６００を、遊技球を用いるパチンコ機に適用してもよい。すなわち、遊技領域が形成された遊技盤と、遊技球を発射するための操作を受け付ける発射ハンドル装置（操作ノブ）と、発射ハンドル装置で受け付けた操作に基づいて、遊技球を遊技領域に向けて弾発する発射装置と、発射された遊技球が所定の入賞口に入って入賞することにより、所定の特典を与える特典付与手段と、を備えるパチンコ機において、電子部品封印手段６００を用いて回路基板上に配設されたＲＯＭやＣＰＵ等の各種電子部品を封印するようにしてもよい。また、電子部品封印手段６００を、回路基板を収容している基板収納ケースの封印に適用するようにしてもよい。
【０１６５】
以下、パチンコ機について説明する。
【０１６６】
例えば、図２１に示すように、パチンコ機１１００は、遊技者が遊技球であるパチンコ玉の打ち出しを行なうためのハンドル１１０１、ハンドルに対する操作により打ち出されるパチンコ玉が導入される受皿１１０２、パチンコ玉が打ち出される円形の遊技領域１１０３を備える。
【０１６７】
遊技領域１１０３には不図示の釘が配設され、遊技領域１１０３の上部から落下するパチンコ玉は釘に衝突して方向を変えながら遊技領域１１０３の下部へ落下する。遊技領域１１０３には入賞口１１０４が配設されており、入賞口１１０４へパチンコ玉が入球すると予め定めた特典が遊技者に付与される。
【０１６８】
本実施の形態では、この特典は大当たりの抽選の実行である。大当たりの抽選で当選すると遊技者には多数のパチンコ玉が払出されるチャンスが与えられる。また、遊技領域１１０３の中央には、液晶表示装置等で構成されて遊技に関する各種の情報を表示する演出装置Ａが設けられている。演出装置Ａは、所定の図柄（識別情報）を変動表示する可変表示装置でもあり、すでに説明した上記実施の形態による演出画像を表示するのみならず、さらには上述の抽選で大当たりに当選したときには、特定の図柄による組合せ（大当たり図柄；例えば、７７７など）も表示する。
【０１６９】
図２２は、パチンコ機１１００の制御系の機能ブロック図である。パチンコ機１１００は、制御部１２００を有する。制御部１２００はＣＰＵ等の処理手段１２０１、乱数を発生する乱数発生手段１２０２、ＲＡＭ等の第１の記憶手段１２０３、及びＲＯＭ等の第２の記憶手段１２０４を有する。センサ１２０５は入賞口１１０４に設けられ、パチンコ玉の入球を検出するセンサである。その他のデバイス１２０６は、その他のデバイス（ランプ、パチンコ玉の払い出し装置等）を示している。
【０１７０】
処理手段１２０１は、大当たりの抽選の実行条件が成立したか否かを判定する。大当たりの抽選の実行条件は、センサ１２０５により入賞口１１０４にパチンコ玉が入球したことが検出された時に成立する。処理手段１２０１は、大当たりの抽選の実行条件が成立すると、乱数発生手段１２０２から乱数値を取得し、第１の記憶手段１２０３に記憶する。
【０１７１】
乱数値は、大当たりの抽選の実行条件の成立毎に予め定めた記憶上限回数を上限として順次記憶される。例えば、４回分の抽選結果が記憶される。４回分の乱数値が記憶されている場合、新たな乱数値は破棄される。処理手段１２０１は、第１の記憶手段１２０３に乱数値が記憶されていることを条件として、当該乱数値に基づき大当たりの抽選処理を行う。第１の記憶手段１２０３に複数回分の乱数値が記憶されている場合には、最も古いものから順番に選択する。
【０１７２】
抽選結果が大当たりの場合は、演出装置Ａが大当たりに対応した識別情報を表示し、ボーナスゲームが開始されて、遊技者には多数のパチンコ玉が払出されるチャンスが与えられる。
【０１７３】
このように、本発明に係る遊技台は、所定の入賞口１１０４を有する遊技領域１１０３を備え、所定の入賞口１１０４に遊技球が入球することによって、遊技者に所定の特典を与えるパチンコ機であるため、パチンコ機の回路基板に配設された電子部品等を再封印可能に封印することで、電子部品等を不正に交換した上で遊技を行う等の不正行為を効果的に防止することができる上に、電子部品等の損傷や劣化等により、正当な目的で電子部品等を取り外した場合でも容易に再封印を行うことができる。
【０１７４】
また、上記実施の形態において説明した電子部品封印手段６００を、遊技台以外の他の様々な装置において、回路基板上に配設された電子部品、またはその他の部分に配設された機械部品や各種部材等の封印のための封印構造として使用することもできる。
【０１７５】
すなわち、本発明にかかる封印構造は、第１の部材に配設される第２の部材を、第１の部材に封印する封印構造であって、係止穴を備え、前記第１の部材に固定される封印基台と、挿通孔を備え、前記第２の部材の少なくとも一部を覆う封印蓋と、係止爪を備え、前記挿通孔に挿通されると共に前記係止爪が前記係止穴内に挿入されて前記係止穴に係止される封印ピンと、からなり、前記電子部品封印手段を構成するいずれかの部品を破壊した場合に、前記電子部品を前記回路基板から取り外し可能となるため、様々な装置において回路基板上に配設された電子部品、またはその他の部分に配設された機械部品や各種部材等の不正な取り外しを未然に防止することができる上に、電子部品等の損傷や劣化等により、正当な目的で電子部品等を取り外した場合でも容易に再封印を行うことができる。
【０１７６】
なお、上記実施形態に記載された作用及び効果は、本発明から生じる最も好適な作用及び効果を列挙したに過ぎず、本発明による作用及び効果は、上記実施形態に記載されたものに限定されるものではない。
【産業上の利用可能性】
【０１７７】
本発明は、スロットマシンやパチンコ機等に代表される遊技台の分野で特に利用することができる。
【図面の簡単な説明】
【０１７８】
【図１】本発明の実施形態に係るスロットマシン１００の外観斜視図を示したものである。
【図２】前面扉１０２を開いた状態にあるスロットマシン１００の正面図である。
【図３】基板収納ケース５００の正面図である。
【図４】基板収納ケース５００の分解斜視図である。
【図５】主制御部３００の回路ブロック図である。
【図６】副制御部４００の回路ブロック図である。
【図７】主制御部メイン処理の流れを示すフローチャートである。
【図８】副制御部メイン処理の流れを示すフローチャートである。
【図９】電子部品封印手段６００の構造を示す分解斜視図である。
【図１０】（ａ）〜（ｃ）電子部品封印手段６００を図９におけるＡ方向から見た状態を示す図である。
【図１１】（ａ）および（ｂ）電子部品封印手段６００を図９におけるＢ方向から見た状態を示す図である。
【図１２】電子部品封印手段６００における上下方向の寸法の概略を示す図である。
【図１３】電子部品封印手段６００における上下方向の寸法の概略を示す図である。
【図１４】封印蓋６２０の平面図である。
【図１５】封印基台６１２の保持部６１２ｂ内に複数の分離した係止爪６３５を含む部分を保持可能にした場合の一例を示す図である。
【図１６】（ａ）および（ｂ）封印基台６１０の係止穴６１２を横方向に向けて開口させた場合の一例を示す図である。
【図１７】（ａ）は封印蓋６２０に挿通孔６２２を１つのみ形成するようにした一例を示す図であり、（ｂ）は封印蓋６２０の長手方向がＲＯＭ３１２の長手方向と直交するように封印蓋６２０を配設した一例を示す図である。
【図１８】封印基台６１０と封印蓋６２０が互いに係合するようにした一例を示す図である。
【図１９】（ａ）は封印基台６１０および封印蓋６２０を熱伝導率の大きい素材により構成した一例を示す図であり、（ｂ）は封印基台６１０にＩＣタグ６４０を備えた一例を示す図である。
【図２０】電子部品封印手段６００を基板収納ケース５００に適用した一例を示す図である。
【図２１】パチンコ機１１００の外観斜視図を示したものである。
【図２２】パチンコ機１１００の制御系の機能ブロック図である。
【符号の説明】
【０１７９】
１００・・・スロットマシン
１１０、１１１、１１２・・・リール
１３５・・・スタートレバー
１３７、１３８、１３９・・・ストップボタン
３１２・・・ＲＯＭ
３１２ａ・・・リード
５００・・・基板収納ケース
５０７・・・結合キャップ
５０９・・・封印キャップ
５１４・・・封印取付部
５３２・・・回路基板
５４０・・・ソケット
６００・・・電子部品封印手段
６１０・・・封印基台
６１２・・・係止穴
６１２ｂ・・・保持部
６１４・・・係合溝
６２０・・・封印蓋
６２２・・・挿通孔
６２３・・・情報記載シール
６２４・・・係合凸部
６３０・・・封印ピン
６３４・・・破断部
６３５・・・係止爪
６４０・・・ＩＣタグ
１１００・・・パチンコ機
１１０３・・・遊技領域
１１０４・・・入賞口
【図１】
0004829845.tif 000002
【図２】
0004829845.tif 000003
【図３】
0004829845.tif 000004
【図４】
0004829845.tif 000005
【図５】
0004829845.tif 000006
【図６】
0004829845.tif 000007
【図７】
0004829845.tif 000008
【図８】
0004829845.tif 000009
【図９】
0004829845.tif 000010
【図１０】
0004829845.tif 000011
【図１１】
0004829845.tif 000012
【図１２】
0004829845.tif 000013
【図１３】
0004829845.tif 000014
【図１４】
0004829845.tif 000015
【図１５】
0004829845.tif 000016
【図１６】
0004829845.tif 000017
【図１７】
0004829845.tif 000018
【図１８】
0004829845.tif 000019
【図１９】
0004829845.tif 000020
【図２０】
0004829845.tif 000021
【図２１】
0004829845.tif 000022
【図２２】
0004829845.tif 000023